(57)【要約】      （修正有）【課題】フォーカスレンズの駆動音を抑制することのできる撮像装置および交換レンズを提供する。【解決手段】焦点調節光学系３３の位置に対応して定められた第１像面移動係数、焦点調節光学系の駆動範囲内において、焦点調節光学系の移動量に対する像面の移動量が最大になる第２像面移動係数、並びに、焦点調節光学系の駆動音に対応して定められた静音速度を送信する送信部と、撮像装置２により決定された探索速度で駆動部を制御するレンズ制御部３６と、第２像面移動係数及び静音速度を用いて算出された基準速度と探索速度との比較により、探索速度とは異なる速度でコントラストＡＦの焦点評価値の探索を行うことを許可すると撮像装置により判断された場合に送信される許可信号を受信する受信部２９とを含み、レンズ制御部は、受信部が許可信号を受信したとき、探索速度とは異なる速度でコントラストＡＦの焦点評価値の探索を行う交換レンズ３。【選択図】図２
2019091050.tif 000002
【特許請求の範囲】
【請求項１】
焦点調節光学系を含む光学系を駆動する駆動部と、
焦点調節光学系の位置によって変化し、前記焦点調節光学系の移動量に対する像面の移動量に対応する第１及び第２像面移動係数であって、前記焦点調節光学系の位置に対応して定められた第１像面移動係数、前記焦点調節光学系の駆動範囲内において、前記焦点調節光学系の移動量に対する像面の移動量が最大になる第２像面移動係数、並びに、前記焦点調節光学系の駆動音に対応して定められた静音速度を送信する送信部と、
撮像装置により決定された探索速度で前記駆動部を制御するレンズ制御部と、
前記第２像面移動係数及び前記静音速度を用いて算出された基準速度と前記探索速度との比較により、前記探索速度とは異なる速度でコントラストＡＦの焦点評価値の探索を行うことを許可すると前記撮像装置により判断された場合に送信される許可信号を受信する受信部とを含み、
前記レンズ制御部は、前記受信部が前記許可信号を受信したとき、前記探索速度とは異なる速度で前記コントラストＡＦの焦点評価値の探索を行うことを特徴とする交換レンズ。
【発明の詳細な説明】
【技術分野】
【０００１】
本発明は、撮像装置および交換レンズに関する。
なお、文献の参照による組み込みが認められる指定国については、２０１３年２月２８日に日本国において特許出願された特願２０１３―０４０１１６号の出願書類に記載された内容を参照により本出願に組み込み、本出願の記載の一部とする。
【背景技術】
【０００２】
従来より、フォーカスレンズの駆動音を抑制するために、フォーカスレンズの駆動速度に上限値を設けて、フォーカスレンズの駆動を制限する技術が知られている（たとえば、特許文献１参照）。
【先行技術文献】
【特許文献】
【０００３】
【特許文献１】特開２００７−６３０５号公報
【発明の概要】
【発明が解決しようとする課題】
【０００４】
本発明が解決しようとする課題は、フォーカスレンズの駆動音を抑制することができる撮像装置および交換レンズを提供することである。
【課題を解決するための手段】
【０００５】
本発明は、以下の解決手段によって上記課題を解決する。
【０００６】
本発明に係る撮像装置は、焦点調節光学系の位置に対応して定められた第１像面移動係数、前記焦点調節光学系の位置に依存しない第２像面移動係数、及び、前記焦点調節光学系の駆動音に対応して定められた静音速度を受信する受信部と、コントラストＡＦで焦点評価値を探索する際の探索速度を決定する決定部と、前記第１像面移動係数を用いて前記焦点調節光学系が前記探索速度で駆動するように制御する制御部と、前記第２像面移動係数及び前記静音速度を用いて、前記探索速度とは異なる速度で前記コントラストＡＦの焦点評価値の探索を行うことを許可するか否かを判断する判断部と、を備えることを特徴とする。
【０００７】
上記撮像装置に係る発明において、前記探索速度は、像面の移動速度が一定となる速度であり、前記判断部は、前記第２像面移動係数及び前記静音速度を用いて、前記焦点調節光学系の移動速度が一定となる像面の移動速度で、前記コントラストＡＦの焦点評価値の探索を行うことを許可するように構成することができる。
【０００８】
上記撮像装置に係る発明において、前記判断部は、前記第２像面移動係数及び前記静音速度を用いて、前記探索速度よりも遅い速度で、前記コントラストＡＦの焦点評価値の探索を行うことを許可するように構成することができる。
【０００９】
上記撮像装置に係る発明において、前記判断部は、前記静音速度に対応する像面の移動速度である基準速度をＶ０とし、１以上の係数をＫｃとし、前記探索速度をＶlnsとしたときに、Ｖlns×Ｋｃ＞Ｖ０のとき、前記探索速度とは異なる速度で前記コントラストＡＦの焦点評価値の探索を行うことを許可するように構成することができる。
【００１０】
上記撮像装置に係る発明において、前記判断部は、Ｖlns×Ｋｃ≦Ｖ０のとき、前記探索速度とは異なる速度で前記コントラストＡＦの焦点評価値の探索を行うように構成することができる。
【００１１】
上記撮像装置に係る発明において、前記判断部は、前記焦点調節光学系の移動量と像面の移動量との対応関係を示す像面移動係数が前記第２像面移動係数となるレンズ位置において、前記焦点調節光学系を前記静音速度で駆動させた場合の像面の移動速度を、前記基準速度Ｖ０とするように構成することができる。
【００１２】
上記撮像装置に係る発明において、前記判断部は、絞り値が大きいほど、画像の圧縮率が大きいほど、または、撮像素子の画素ピッチが大きいほど、上記Ｋｃの値を大きくするように構成することができる。
【００１３】
上記撮像装置に係る発明において、像面移動係数は、前記焦点調節光学系の移動量と像面の移動量との対応関係を示す係数であり、前記焦点調節光学系を前記静音速度よりも速い速度で駆動したときには、前記焦点調節光学系を前記静音速度よりも遅い速度で駆動したときよりも駆動音が小さくなるように構成することができる。
【００１４】
上記撮像装置に係る発明において、前記第１像面移動係数および前記第２像面移動係数は、前記焦点調節光学系の光軸方向の移動量をＴLとし、像面の移動量をＴIとした場合に、ＴLとＴIとの比に対応する係数であり、前記第２像面移動係数は、ＴI／ＴLに対応する係数であるときには、ＴI／ＴLが最大になる値であり、前記像面移動係数がＴL／ＴIに対応する係数であるときには、ＴL／ＴIが最小になる値であるように構成することができる。
【００１５】
本発明の第１の観点に係る交換レンズは、焦点調節光学系を含む光学系を駆動する駆動部と、前記焦点調節光学系の位置に対応して定められた第１像面移動係数、前記焦点調節光学系の位置に依存しない第２像面移動係数、及び、前記焦点調節光学系の駆動音に対応して定められた静音速度を送信する送信部と、撮像装置により決定された探索速度で前記駆動部を制御するレンズ制御部と、前記探索速度とは異なる速度でコントラストＡＦの焦点評価値の探索を行うことを許可する信号を受信する受信部とを含み、前記レンズ制御部は、前記受信部が前記許可する信号を受信したとき、前記探索速度とは異なる速度で前記コントラストＡＦの焦点評価値の探索を行うことを特徴とする。
【００１６】
上記交換レンズに係る発明において、前記レンズ制御部は、前記受信部が前記許可する信号を受信し、かつ、前記焦点調節光学系の速度が前記静音速度に対応する速度になったとき、前記探索速度とは異なる速度で前記コントラストＡＦの焦点評価値の探索を行うように構成することができる。
【００１７】
上記交換レンズに係る発明において、前記レンズ制御部は、前記受信部が前記許可する信号を受信したとき、前記焦点調節光学系の移動速度が一定となるようにコントラストＡＦの焦点評価値の探索を行うように構成することができる。
【００１８】
本発明の第２の観点に係る交換レンズは、カメラボディから所定信号を受信する受信部と、前記受信部が前記所定信号を受信しない場合に、前記所定信号を受信する場合よりも前記焦点光学系の移動速度が低下するように制御をする制御部と、を備えることを特徴とする。
【００１９】
本発明の第３の観点に係る交換レンズは、焦点光学系の移動速度が所定速度よりも速いときは所定の像面移動速度になるように前記焦点光学系を制御し、前記焦点光学系の移動速度が前記所定速度よりも遅いときには前記所定の像面移動速度とは異なる速度で前記焦点光学系を制御する制御部を備えることを特徴とする。
【００２０】
上記交換レンズに係る発明において、カメラボディから所定信号を受信する受信部を備えるように構成することができる。
【００２１】
上記交換レンズに係る発明において、前記所定信号は、前記焦点光学系を所定速度範囲内で移動させることを許可する信号であるように構成することができる。
【００２２】
本発明の第４の観点に係る交換レンズは、焦点光学系の現在位置の像面移動係数よりも小さい像面移動係数を送信する送信部と、像面の移動速度が略一定になるように前記焦点光学系を制御する制御部と、を備えることを特徴とする。
【００２３】
本発明の第５の観点に係る交換レンズは、焦点光学系の現在位置の像面移動係数よりも小さい像面移動係数と、前記焦点光学系の速度に対応する情報とを送信する送信部を備えることを特徴とする。
【００２４】
上記交換レンズに係る発明において、前記送信部は、前記焦点光学系の現在位置の像面移動係数、前記焦点光学系の現在位置の像面移動係数よりも小さい像面移動係数、及び、前記焦点光学系の現在位置の像面移動係数よりも大きい像面移動係数を送信するように構成することができる。
【００２５】
本発明の第６の観点に係る交換レンズは、焦点光学系の現在位置の像面移動係数よりも小さい像面移動係数と、前記焦点光学系の移動速度に対応する情報とをカメラボディに送信し、前記カメラボディから所定信号を受信する送受信部と、前記所定信号を受信した場合、前記焦点光学系の移動速度が所定速度よりも速いときは所定の像面移動速度になるように前記焦点光学系の駆動制御を行い、前記焦点光学系の移動速度が前記所定速度よりも遅いときには前記焦点光学系の移動速度が略一定になるように前記焦点光学系の駆動制御を行う制御部と、を備えることを特徴とする。
【００２６】
上記交換レンズに係る発明において、前記制御部は、前記所定信号を受信した場合であって、前記焦点光学系の移動速度が前記所定速度よりも遅いときには、前記焦点光学系の移動速度が前記カメラボディに送信した前記情報に対応する速度になるように前記焦点光学系の駆動制御を行うように構成することができる。
【００２７】
上記交換レンズに係る発明において、前記焦点光学系の現在位置の像面移動係数よりも小さい像面移動係数は、像面移動係数の最小値であるように構成することができる。
【００２８】
上記交換レンズに係る発明において、前記焦点光学系を含む結像光学系を有するように構成することができる。
【発明の効果】
【００２９】
本発明によれば、フォーカスレンズの駆動音を抑制することができる。
【図面の簡単な説明】
【００３０】
【図１】図１は、本実施形態に係るカメラを示す斜視図である。
【図２】図２は、本実施形態に係るカメラを示す要部構成図である。
【図３】図３は、ズームレンズのレンズ位置（焦点距離）およびフォーカスレンズのレンズ位置（撮影距離）と、像面移動係数Ｋとの関係を示すテーブルである。
【図４】図４は、接続部２０２，３０２の詳細を示す模式図である。
【図５】図５は、コマンドデータ通信の一例を示す図である。
【図６】図６は、ホットライン通信の一例を示す図である。
【図７】図７は、本実施形態に係るクリップ動作を示すフローチャートである。
【図８】図８は、フォーカスレンズのレンズ駆動速度Ｖ１ｂと、静音下限レンズ移動速度Ｖ０ｂとの関係を説明するための図である。
【図９】図９は、本実施形態に係るクリップ動作制御処理を示すフローチャートである。
【図１０】図１０は、フォーカスレンズの像面移動速度Ｖ１ａと、静音下限像面移動速度Ｖ０ａ＿ｍａｘとの関係を説明するための図である。
【図１１】図１１は、焦点検出時の像面の移動速度Ｖ１ａと、クリップ動作との関係を示す図である。
【図１２】図１２は、フォーカスレンズのレンズ駆動速度Ｖ１ｂと、クリップ動作との関係を説明するための図である。
【図１３】図１３は、他の実施形態に係るカメラを示す要部構成図である。
【発明を実施するための形態】
【００３１】
図１は、本実施形態の一眼レフデジタルカメラ１を示す斜視図である。また、図２は、本実施形態のカメラ１を示す要部構成図である。本実施形態のデジタルカメラ１（以下、単にカメラ１という。）は、カメラ本体２とレンズ鏡筒３から構成され、これらカメラ本体２とレンズ鏡筒３とが着脱可能に結合されている。
【００３２】
レンズ鏡筒３は、カメラ本体２に着脱可能な交換レンズである。図２に示すように、レンズ鏡筒３には、レンズ３１，３２，３３，３４および絞り３５を含む撮影光学系が内蔵されている。
【００３３】
レンズ３３は、フォーカスレンズであり、光軸Ｌ１方向に移動することで、撮影光学系の焦点距離を調節可能となっている。フォーカスレンズ３３は、レンズ鏡筒３の光軸Ｌ１に沿って移動可能に設けられ、フォーカスレンズ用エンコーダ３３２によってその位置が検出されつつフォーカスレンズ駆動モータ３３１によってその位置が調節される。
【００３４】
フォーカスレンズ駆動モータ３３１は、たとえば超音波モータであり、レンズ制御部３６から出力される電気信号（パルス）に応じて、フォーカスレンズ３３を駆動する。具体的には、フォーカスレンズ駆動モータ３３１によるフォーカスレンズ３３の駆動速度は、パルス／秒で表され、単位時間当たりのパルス数が多いほど、フォーカスレンズ３３の駆動速度は速くなる。なお、本実施形態では、カメラ本体２のカメラ制御部２１により、フォーカスレンズ３３の駆動指示速度（単位：パルス／秒）がレンズ鏡筒３に送信され、レンズ制御部３６は、カメラ本体２から送信された駆動指示速度（単位：パルス／秒）に応じたパルス信号を、フォーカスレンズ駆動モータ３３１に出力することで、フォーカスレンズ３３を、カメラ本体２から送信された駆動指示速度（単位：パルス／秒）で駆動させる。
【００３５】
また、レンズ３２は、ズームレンズであり、光軸Ｌ１方向に移動することで、撮影光学系の撮影倍率を調節可能となっている。ズームレンズ３２も、上述したフォーカスレンズ３３と同様に、ズームレンズ用エンコーダ３２２によってその位置が検出されつつズームレンズ駆動モータ３２１によってその位置が調節される。ズームレンズ３２の位置は、操作部２８に設けられたズームボタンを操作することにより、あるいは、カメラ鏡筒３に設けられたズーム環（不図示）を操作することにより調節される。
【００３６】
絞り３５は、上記撮影光学系を通過して撮像素子２２に至る光束の光量を制限するとともにボケ量を調整するために、光軸Ｌ１を中心にした開口径が調節可能に構成されている。絞り３５による開口径の調節は、たとえば自動露出モードにおいて演算された適切な開口径が、カメラ制御部２１からレンズ制御部３５を介して送出されることにより行われる。また、カメラ本体２に設けられた操作部２８によるマニュアル操作により、設定された開口径がカメラ制御部２１からレンズ制御部３６に入力される。絞り３５の開口径は図示しない絞り開口センサにより検出され、レンズ制御部３６で現在の開口径が認識される。  
【００３７】
レンズメモリ３７は、像面移動係数Ｋを記憶している。像面移動係数Ｋとは、フォーカスレンズ３３の駆動量と像面の移動量との対応関係を示す値であり、例えば、フォーカスレンズ３３の駆動量と像面の移動量との比である。本実施例において、像面移動係数は、例えば、下記式（３）により求められ、像面移動係数Ｋが小さくなるほど、フォーカスレンズ３３の駆動に伴う像面の移動量は大きくなる。
像面移動係数Ｋ＝（フォーカスレンズ３３の駆動量／像面の移動量）  ・・・（３）
また、本実施形態のカメラ１においては、フォーカスレンズ３３の駆動量が同じ場合であっても、フォーカスレンズ３３のレンズ位置によっては、像面の移動量が異なるものとなる。同様に、フォーカスレンズ３３の駆動量が同じ場合であっても、ズームレンズ３２のレンズ位置によっては、像面の移動量が異なるものとなる。すなわち、像面移動係数Ｋは、フォーカスレンズ３３の光軸方向におけるレンズ位置、さらには、ズームレンズ３２の光軸方向におけるレンズ位置に応じて変化するものであり、本実施形態において、レンズ制御部３６は、フォーカスレンズ３３のレンズ位置ごと、およびズームレンズ３２のレンズ位置ごとに、像面移動係数Ｋを記憶している。
また、像面移動係数Ｋは、例えば、像面移動係数Ｋ＝（像面の移動量／フォーカスレンズ３３の駆動量）のように定義をすることもできる。この場合、像面移動係数Ｋが大きくなるほど、フォーカスレンズ３３の駆動に伴う像面の移動量は大きくなる。
【００３８】
ここで、図３に、ズームレンズ３２のレンズ位置（焦点距離）およびフォーカスレンズ３３のレンズ位置（撮影距離）と、像面移動係数Ｋとの関係を示すテーブルを示す。図３に示すテーブルにおいては、ズームレンズ３２の駆動領域を、ワイド端からテレ端に向かって順に、「ｆ１」〜「ｆ９」の９つの領域に分けるとともに、フォーカスレンズ３３の駆動領域を至近端から無限遠端に向かって順に、「Ｄ１」〜「Ｄ９」の９つの領域に分けて、各レンズ位置に対応する像面移動係数Ｋが記憶されている。たとえば、ズームレンズ３２のレンズ位置（焦点距離）が「ｆ１」にあり、フォーカスレンズ３３のレンズ位置（撮影距離）が「Ｄ１」にある場合に、像面移動係数Ｋは「Ｋ１１」となる。なお、図３に示すテーブルは、各レンズの駆動領域をそれぞれ９つの領域に分けるような態様を例示したが、その数は特に限定されず、任意に設定することができる。
【００３９】
次に、図３を用いて、最小像面移動係数Ｋminおよび最大像面移動係数Ｋmaxについて説明する。
最小像面移動係数Ｋminとは、像面移動係数Ｋの最小値に対応する値である。最小像面移動係数Ｋminは、ズームレンズ３２の現在のレンズ位置に応じて変化することが好ましい。また、最小像面移動係数Ｋminは、ズームレンズ３２の現在のレンズ位置が変化しなければ、フォーカスレンズ３３の現在のレンズ位置が変化しても一定値（固定値）であることが好ましい。つまり、最小像面移動係数Ｋminは、ズームレンズ３２のレンズ位置（焦点距離）に応じて定まる固定値（一定値）であって、フォーカスレンズ３３のレンズ位置（撮影距離）には依存しない値であることが好ましい。
【００４０】
たとえば、図３において、灰色で示した「Ｋ１１」、「Ｋ２１」、「Ｋ３１」、「Ｋ４１」、「Ｋ５２」、「Ｋ６２」、「Ｋ７２」、「Ｋ８２」、「Ｋ９１」は、ズームレンズ３２の各レンズ位置（焦点距離）における、像面移動係数Ｋのうち、最小となる値を示す最小像面移動係数Ｋminである。すなわち、ズームレンズ３２のレンズ位置（焦点距離）が「ｆ１」にある場合には、「Ｄ１」〜「Ｄ９」のうち、フォーカスレンズ３３のレンズ位置（撮影距離）が「Ｄ１」にある場合の像面移動係数Ｋである「Ｋ１１」が、最小の値を示す最小像面移動係数Ｋminとなる。したがって、フォーカスレンズ３３のレンズ位置（撮影距離）が「Ｄ１」にある場合の像面移動係数Ｋである「Ｋ１１」は、フォーカスレンズ３３のレンズ位置（撮影距離）が「Ｄ１」〜「Ｄ９」にある場合の像面移動係数Ｋである「Ｋ１１」〜「Ｋ１９」の中で、最も小さな値を示すものとなる。また、同様に、ズームレンズ３２の各レンズ位置（焦点距離）が「ｆ２」である場合も、フォーカスレンズ３３のレンズ位置（撮影距離）が「Ｄ１」にある場合の像面移動係数Ｋである「Ｋ２１」が、「Ｄ１」〜「Ｄ９」にある場合の像面移動係数Ｋである「Ｋ２１」〜「Ｋ２９」の中で、最も小さな値を示すものとなる。すなわち、「Ｋ２１」が最小像面移動係数Ｋminとなる。以下、同様に、ズームレンズ３２の各レンズ位置（焦点距離）が「ｆ３」〜「ｆ９」である場合でも、灰色で示した「Ｋ３１」、「Ｋ４１」、「Ｋ５２」、「Ｋ６２」、「Ｋ７２」、「Ｋ８２」、「Ｋ９１」が、それぞれ最小像面移動係数Ｋminとなる。
【００４１】
同様に、最大像面移動係数Ｋmaxとは、像面移動係数Ｋの最大値に対応する値である。最大像面移動係数Ｋmaxは、ズームレンズ３２の現在のレンズ位置に応じて変化することが好ましい。また、最大像面移動係数Ｋmaxは、ズームレンズ３２の現在のレンズ位置が変化しなければフォーカスレンズ３３の現在のレンズ位置が変化しても一定値（固定値）であることが好ましい。例えば、図３において、ハッチングを施して示した「Ｋ１９」、「Ｋ２９」、「Ｋ３９」、「Ｋ４９」、「Ｋ５９」、「Ｋ６９」、「Ｋ７９」、「Ｋ８９」、「Ｋ９９」は、ズームレンズ３２の各レンズ位置（焦点距離）における、像面移動係数Ｋのうち、最大となる値を示す最大像面移動係数Ｋmaxである。
【００４２】
このように、レンズメモリ３７は、図３に示すように、ズームレンズ３２のレンズ位置（焦点距離）、およびフォーカスレンズ３３のレンズ位置（撮影距離）に対応する像面移動係数Ｋと、ズームレンズ３２のレンズ位置（焦点距離）ごとに、像面移動係数Ｋのうち最小となる値を示す最小像面移動係数Ｋminと、ズームレンズ３２のレンズ位置（焦点距離）ごとに、像面移動係数Ｋのうち最大となる値を示す最大像面移動係数Ｋmaxとを記憶している。
【００４３】
また、レンズメモリ３７には、静音下限レンズ移動速度Ｖ０ｂが記憶されている。たとえば、フォーカスレンズ３３を一定速度以下の低速で駆動させた場合に、フォーカスレンズ駆動モータ３３１の駆動負担が大きくなり、所定値以上の駆動音（たとえば５０デシベル以上の駆動音）が発生してしまう場合がある。静音下限レンズ移動速度Ｖ０ｂは、フォーカスレンズ３３を、この静音下限レンズ移動速度Ｖ０ｂ以上の速度で駆動させた場合に、このような所定値以上の駆動音を防止することができる、フォーカスレンズ３３の移動速度である。
【００４４】
一方、カメラ本体２は、被写体からの光束を撮像素子２２、ファインダ２３５、測光センサ２３７および焦点検出モジュール２６１へ導くためのミラー系２２０を備える。このミラー系２２０は、回転軸２２３を中心にして被写体の観察位置と撮像位置との間で所定角度だけ回転するクイックリターンミラー２２１と、このクイックリターンミラー２２１に軸支されてクイックリターンミラー２２１の回動に合わせて回転するサブミラー２２２とを備える。図１においては、ミラー系２２０が被写体の観察位置にある状態を実線で示し、被写体の撮像位置にある状態を二点鎖線で示す。
【００４５】
ミラー系２２０は、被写体の観察位置にある状態では光軸Ｌ１の光路上に挿入される一方で、被写体の撮像位置にある状態では光軸Ｌ１の光路から退避するように回転する。
【００４６】
クイックリターンミラー２２１はハーフミラーで構成され、被写体の観察位置にある状態では、被写体からの光束（光軸Ｌ１）の一部の光束（光軸Ｌ２，Ｌ３）を当該クイックリターンミラー２２１で反射してファインダ２３５および測光センサ２３７に導き、一部の光束（光軸Ｌ４）を透過させてサブミラー２２２へ導く。これに対して、サブミラー２２２は全反射ミラーで構成され、クイックリターンミラー２２１を透過した光束（光軸Ｌ４）を焦点検出モジュール２６１へ導く。
【００４７】
したがって、ミラー系２２０が観察位置にある場合は、被写体からの光束（光軸Ｌ１）はファインダ２３５、測光センサ２３７および焦点検出モジュール２６１へ導かれ、撮影者により被写体が観察されるとともに、露出演算やフォーカスレンズ３３の焦点調節状態の検出が実行される。そして、撮影者がレリーズボタンを全押しするとミラー系２２０が撮影位置に回動し、被写体からの光束（光軸Ｌ１）は全て撮像素子２２へ導かれ、撮影した画像データをメモリ２４に保存する。
【００４８】
クイックリターンミラー２２１で反射された被写体からの光束（光軸Ｌ２）は、撮像素子２２と光学的に等価な面に配置された焦点板２３１に結像し、ペンタプリズム２３３と接眼レンズ２３４とを介して観察可能になっている。このとき、透過型液晶表示器２３２は、焦点板２３１上の被写体像に焦点検出エリアマークなどを重畳して表示するとともに、被写体像外のエリアにシャッター速度、絞り値、撮影枚数などの撮影に関する情報を表示する。これにより、撮影者は、撮影準備状態において、ファインダ２３５を通して被写体およびその背景ならびに撮影関連情報などを観察することができる。
【００４９】
測光センサ２３７は、二次元カラーＣＣＤイメージセンサなどで構成され、撮影の際の露出値を演算するため、撮影画面を複数の領域に分割して領域ごとの輝度に応じた測光信号を出力する。測光センサ２３７で検出された信号はカメラ制御部２１へ出力され、自動露出制御に用いられる。
【００５０】
撮像素子２２は、カメラ本体２の、被写体からの光束の光軸Ｌ１上であって、レンズ３１，３２，３３，３４を含む撮影光学系の予定焦点面に設けられ、その前面にシャッター２３が設けられている。この撮像素子２２は、複数の光電変換素子が二次元に配置されたものであって、二次元ＣＣＤイメージセンサ、ＭＯＳセンサまたはＣＩＤなどのデバイスから構成することができる。撮像素子２２で光電変換された画像信号は、カメラ制御部２１で画像処理されたのち、記録媒体であるカメラメモリ２４に記録される。なお、カメラメモリ２４は着脱可能なカード型メモリや内蔵型メモリの何れをも用いることができる。
【００５１】
また、カメラ制御部２１は、撮像素子２２から読み出した画素データに基づき、コントラスト検出方式による撮影光学系の焦点調節状態の検出を行う。たとえば、カメラ制御部２１は、撮像素子２２の出力を読み出し、読み出した出力に基づき、焦点評価値の演算を行う。この焦点評価値は、たとえば撮像素子２２からの出力の高周波成分を、高周波透過フィルタを用いて抽出することで求めることができる。また、遮断周波数が異なる２つの高周波透過フィルタを用いて高周波成分を抽出することでも求めることができる。
【００５２】
そして、カメラ制御部２１は、レンズ制御部３６に駆動信号を送出してフォーカスレンズ３３を所定のサンプリング間隔(距離)で駆動させ、それぞれの位置における焦点評価値を求め、該焦点評価値が最大となるフォーカスレンズ３３の位置を合焦位置として求める、コントラスト検出方式による焦点検出を実行する。なお、この合焦位置は、たとえば、フォーカスレンズ３３を駆動させながら焦点評価値を算出した場合に、焦点評価値が、２回上昇した後、さらに、２回下降して推移した場合に、これらの焦点評価値を用いて、内挿法などの演算を行うことで求めることができる。
【００５３】
コントラスト検出方式による焦点検出では、焦点評価値のサンプリング間隔は、フォーカスレンズ３３の駆動速度が速くなるほど大きくなり、フォーカスレンズ３３の駆動速度が所定速度を越えた場合には、焦点評価値のサンプリング間隔が大きくなり過ぎてしまい、合焦位置を適切に検出することができなくなってしまう。これは、焦点評価値のサンプリング間隔が大きくなるほど、フォーカスレンズ３３を至近端から無限遠端まで駆動させた場合に、検出対象の被写体が、一度も、焦点状態を適切に検出できる被写界深度内に入らず、被写体の位置における焦点状態を適切に検出できない場合があるためである。そのため、カメラ制御部２１は、フォーカスレンズ３３を駆動させた際の像面の移動速度が、合焦位置を適切に検出することができる速度となるように、フォーカスレンズ３３を駆動させる。例えば、カメラ制御部２１は、焦点評価値を検出するためにフォーカスレンズ３３を駆動させる探索制御において、合焦位置を適切に検出することができるサンプリング間隔の像面移動速度のうち最大の像面駆動速度となるように、フォーカスレンズ３３を駆動させる。探索制御とは、例えば、ウェオブリング、所定位置の近傍のみを探索する近傍サーチ（近傍スキャン）、フォーカスレンズ３３の全駆動範囲を探索する全域サーチ（全域スキャン）を含む。
【００５４】
また、カメラ制御部２１は、レリーズスイッチの半押しをトリガとして探索制御を開始する場合にはフォーカスレンズ３３を高速で駆動させ、レリーズスイッチの半押し以外の条件をトリガとして探索制御を開始する場合にはフォーカスレンズ３３を低速で駆動させてもよい。このように制御することにより、レリーズスイッチの半押しがされたときに高速にコントラストＡＦを行い、レリーズスイッチの半押しがされていないときにはスルー画の見栄えが好適なコントラストＡＦを行うことができるからである。
【００５５】
さらに、カメラ制御部２１は、静止画撮影モードにおける探索制御において、フォーカスレンズ３３を高速で駆動させ、動画撮影モードにおける探索制御において、フォーカスレンズ３３を低速で駆動させるように制御してもよい。このように制御することにより、静止画撮影モードでは高速にコントラストＡＦを行い、動画撮影モードでは動画の見栄えが好適なコントラストＡＦを行うことができるからである。
【００５６】
また、静止画撮影モード及び動画撮影モードの少なくとも一方において、スポーツ撮影モードにおいては高速にコントラストＡＦを行い、風景撮影モードにおいては低速にコントラストＡＦを行ってもよい。また、焦点距離、撮影距離、絞り値等に応じて、探索制御におけるフォーカスレンズ３３の駆動速度を変化させてもよい。
【００５７】
さらに、本実施形態では、位相差検出方式による焦点検出を行うこともできる。具体的には、焦点検出モジュール２６１は、撮像光学系の予定焦点面近傍に配置されたマイクロレンズと、このマイクロレンズに対して配置された光電変換素子とを有する画素が複数配列された、一対のラインセンサ（不図示）を有している。そして、フォーカスレンズ３３の射出瞳の異なる一対の領域を通る一対の光束を、一対のラインセンサに配列された各画素で受光することで、一対の像信号を取得することができる。そして、一対のラインセンサで取得した一対の像信号の位相ずれを、後述する周知の相関演算によって求めることにより焦点調節状態を検出する位相差検出方式による焦点検出を行うことができる。
【００５８】
操作部２８は、シャッターレリーズボタン、動画撮影開始スイッチなどの撮影者がカメラ１の各種動作モードを設定するための入力スイッチであり、静止画撮影モード／動画撮影モードの切換、オートフォーカスモード／マニュアルフォーカスモードの切換、さらには、オートフォーカスモードの中でも、ＡＦ−Ｓモード／ＡＦ−Ｆモードの切換が行えるようになっている。この操作部２８により設定された各種モードはカメラ制御部２１へ送出され、当該カメラ制御部２１によりカメラ１全体の動作が制御される。また、シャッターレリーズボタンは、ボタンの半押しでＯＮとなる第１スイッチＳＷ１と、ボタンの全押しでＯＮとなる第２スイッチＳＷ２とを含む。
【００５９】
ここで、ＡＦ−Ｓモードとは、シャッターレリーズボタンの半押しがされた場合に、焦点検出結果に基づき、フォーカスレンズ３３を駆動させた後は、一度調節したフォーカスレンズ３３の位置を固定し、そのフォーカスレンズ位置で撮影するモードである。なお、ＡＦ−Ｓモードは、静止画撮影に適したモードであり、通常、静止画撮影を行う際に選択される。また、ＡＦ−Ｆモードとは、シャッターレリーズボタンの操作の有無に関係なく、焦点検出結果に基づきフォーカスレンズ３３を駆動し、その後、焦点状態の検出を繰り返し行い、焦点状態が変化した場合には、フォーカスレンズ３３のスキャン駆動を行なうモードである。なお、ＡＦ−Ｆモードは、動画撮影に適したモードであり、通常、動画撮影を行なう際に選択される。
【００６０】
また、本実施形態においては、オートフォーカスモードを切換えるためのスイッチとして、ワンショットモード／コンティニュアスモードを切換えるためのスイッチを備えているような構成としてもよい。そして、この場合においては、撮影者によりワンショットモードが選択された場合には、ＡＦ−Ｓモードに設定され、また、撮影者によりコンティニュアスモードが選択された場合には、ＡＦ−Ｆモードに設定されるような構成とすることができる。
【００６１】
次いで、カメラ本体２とレンズ鏡筒３との間のデータの通信方法について説明する。
【００６２】
カメラ本体２には、レンズ鏡筒３が着脱可能に取り付けられるボディ側マウント部２０１が設けられている。また、図１に示すように、ボディ側マウント部２０１の近傍（ボディ側マウント部２０１の内周側）の位置には、ボディ側マウント部２０１の内周側に突出する接続部２０２が設けられている。この接続部２０２には複数の電気接点が設けられている。
【００６３】
一方、レンズ鏡筒３には、カメラ本体２に着脱可能な交換レンズであり、カメラ本体２に着脱可能に取り付けられるレンズ側マウント部３０１が設けられている。また、図１に示すように、レンズ側マウント部３０１の近傍（レンズ側マウント部３０１の内周側）の位置には、レンズ側マウント部３０１の内周側に突出する接続部３０２が設けられている。この接続部３０２には複数の電気接点が設けられている。
【００６４】
カメラ本体２にレンズ鏡筒３が装着されると、ボディ側マウント部２０１に設けられた接続部２０２の電気接点と、レンズ側マウント部３０１に設けられた接続部３０２の電気接点とが、電気的かつ物理的に接続される。これにより、接続部２０２，３０２を介して、カメラ本体２からレンズ鏡筒３への電力供給や、カメラ本体２とレンズ鏡筒３とのデータ通信が可能となる。
【００６５】
図４は接続部２０２，３０２の詳細を示す模式図である。なお、図４において接続部２０２がボディ側マウント部２０１の右側に配置されているのは、実際のマウント構造に倣ったものである。すなわち、本実施形態の接続部２０２は、ボディ側マウント部２０１のマウント面よりも奥まった場所(図４においてボディ側マウント部２０１よりも右側の場所)に配置されている。同様に、接続部３０２がレンズ側マウント部３０１の右側に配置されているのは、本実施形態の接続部３０２がレンズ側マウント部３０１のマウント面よりも突出した場所に配置されていることを表している。接続部２０２と接続部３０２とがこのように配置されることで、ボディ側マウント部２０１のマウント面とレンズ側マウント部３０１のマウント面とを接触させて、カメラ本体２とレンズ鏡筒３とをマウント結合させた場合に、接続部２０２と接続部３０２とが接続され、これにより、両方の接続部２０２，３０２に設けられている電気接点同士が接続する。
【００６６】
図４に示すように、接続部２０２にはＢＰ１〜ＢＰ１２の１２個の電気接点が存在する。またレンズ３側の接続部３０２には、カメラ本体２側の１２個の電気接点にそれぞれ対応するＬＰ１〜ＬＰ１２の１２個の電気接点が存在する。
【００６７】
電気接点ＢＰ１および電気接点ＢＰ２は、カメラ本体２内の第１電源回路２３０に接続されている。第１電源回路２３０は、電気接点ＢＰ１および電気接点ＬＰ１を介して、レンズ鏡筒３内の各部（但し、レンズ駆動モータ３２１，３３１などの消費電力が比較的大きい回路を除く）に動作電圧を供給する。電気接点ＢＰ１および電気接点ＬＰ１を介して、第１電源回路２３０により供給される電圧値は、特に限定されず、たとえば３〜４Ｖの電圧値（標準的には、この電圧幅の中間にある３．５Ｖ近傍の電圧値）とすることができる。この場合、カメラ本体側２からレンズ鏡筒側３に供給される電流値は、電源オン状態において、約数１０ｍＡ〜数１００ｍＡの範囲内の電流値となる。また、電気接点ＢＰ２および電気接点ＬＰ２は、電気接点ＢＰ１および電気接点ＬＰ１を介して供給される上記動作電圧に対応する接地端子である。
【００６８】
電気接点ＢＰ３〜ＢＰ６は、カメラ側第１通信部２９１に接続されており、これら電気接点ＢＰ３〜ＢＰ６に対応して、電気接点ＬＰ３〜ＬＰ６が、レンズ側第１通信部３８１に接続されている。そして、カメラ側第１通信部２９１とレンズ側第１通信部３８１とは、これらの電気接点を用いて互いに信号の送受信を行う。なお、カメラ側第１通信部２９１とレンズ側第１通信部３８１とが行う通信の内容については、後に詳述する。
【００６９】
電気接点ＢＰ７〜ＢＰ１０は、カメラ側第２通信部２９２に接続されており、これら電気接点ＢＰ７〜ＢＰ１０に対応して、電気接点ＬＰ７〜ＬＰ１０が、レンズ側第２通信部３８２に接続されている。そして、カメラ側第２通信部２９２とレンズ側第２通信部３８２とは、これらの電気接点を用いて互いに信号の送受信を行う。なお、カメラ側第２通信部２９２とレンズ側第２通信部３８２とが行う通信の内容については、後に詳述する。
【００７０】
電気接点ＢＰ１１および電気接点ＢＰ１２は、カメラ本体２内の第２電源回路２４０に接続されている。第２電源回路２４０は、電気接点ＢＰ１１および電気接点ＬＰ１１を介して、レンズ駆動モータ３２１，３３１などの消費電力が比較的大きい回路に動作電圧を供給する。第２電源回路２３０により供給される電圧値は、特に限定されないが、第２電源回路２４０により供給される電圧値の最大値は、第１電源回路２３０により供給される電圧値の最大値の数倍程度とすることができる。また、この場合、第２電源回路２４０からレンズ鏡筒３側に供給される電流値は、電源オン状態において、約数１０ｍＡ〜数Ａの範囲内の電流値となる。また、電気接点ＢＰ１２および電気接点ＬＰ１２は、電気接点ＢＰ１１および電気接点ＬＰ１１を介して供給される上記動作電圧に対応する接地端子である。
【００７１】
なお、図４に示すカメラ本体２側の第１通信部２９１および第２通信部２９２は、図１に示すカメラ送受信部２９を構成し、図４に示すレンズ鏡筒３側の第１通信部３８１および第２通信部３８２は、図１に示すレンズ送受信部３８を構成する。
【００７２】
次に、カメラ側第１通信部２９１とレンズ側第１通信部３８１との通信（以下、コマンドデータ通信という）について説明する。レンズ制御部３６は、電気接点ＢＰ３およびＬＰ３から構成される信号線ＣＬＫと、電気接点ＢＰ４およびＬＰ４から構成される信号線ＢＤＡＴと、電気接点ＢＰ５およびＬＰ５から構成される信号線ＬＤＡＴと、電気接点ＢＰ６およびＬＰ６から構成される信号線ＲＤＹとを介して、カメラ側第１通信部２９１からレンズ側第１通信部３８１への制御データの送信と、レンズ側第１通信部３８１からカメラ側第１通信部２９１への応答データの送信とを、並行して、所定の周期（たとえば、１６ミリ秒間隔）で行う、コマンドデータ通信を行う。
【００７３】
図５は、コマンドデータ通信の一例を示すタイミングチャートである。カメラ制御部２１およびカメラ側第１通信部２９１は、コマンドデータ通信の開始時（Ｔ１）に、まず、信号線ＲＤＹの信号レベルを確認する。ここで、信号線ＲＤＹの信号レベルはレンズ側第１通信部３８１の通信可否を表しており、通信不可の場合には、レンズ制御部３６およびレンズ側第１通信部３８１により、Ｈ（Ｈｉｇｈ）レベルの信号が出力される。カメラ側第１通信部２９１は、信号線ＲＤＹがＨレベルである場合には、レンズ鏡筒３との通信を行わず、または、通信中である場合にも、次の処理を実行しない。
【００７４】
一方、信号線ＲＤＹがＬ（ＬＯＷ）レベルである場合、カメラ制御部２１およびカメラ側第１通信部２９１は、信号線ＣＬＫを用いて、クロック信号４０１をレンズ側第１通信部２９１に送信する。また、カメラ制御部２１およびカメラ側第１通信部２９１は、このクロック信号４０１に同期して、信号線ＢＤＡＴを用いて、制御データであるカメラ側コマンドパケット信号４０２をレンズ側第１通信部２９１に送信する。また、クロック信号４０１が出力されると、レンズ制御部３６およびレンズ側第１通信部３８１は、このクロック信号４０１に同期して、信号線ＬＤＡＴを用いて、応答データであるレンズ側コマンドパケット信号４０３を送信する。
【００７５】
レンズ制御部３６およびレンズ側第１通信部２９１は、レンズ側コマンドパケット信号４０３の送信完了に応じて、信号線ＲＤＹの信号レベルをＬレベルからＨレベルに変更する（Ｔ２）。そして、レンズ制御部３６は、時刻Ｔ２までに受信したボディ側コマンドパケット信号４０２の内容に応じて、第１制御処理４０４を開始する。
【００７６】
たとえば、受信したボディ側コマンドパケット信号４０２が、レンズ鏡筒３側の特定のデータを要求する内容であった場合、レンズ制御部３６は、第１制御処理４０４として、コマンドパケット信号４０２の内容を解析するとともに、要求された特定データを生成する処理を実行する。さらに、レンズ制御部３６は、第１制御処理４０４として、コマンドパケット信号４０２に含まれているチェックサムデータを用いて、コマンドパケット信号４０２の通信にエラーがないか否かをデータバイト数から簡易的にチェックする通信エラーチェック処理をも実行する。この第１制御処理４０４で生成された特定データの信号は、レンズ側データパケット信号４０７としてカメラ本体２側に出力される（Ｔ３）。なお、この場合においてコマンドパケット信号４０２の後でカメラ本体２側から出力されるカメラ側データパケット信号４０６は、レンズ側にとっては特に意味をなさないダミーデータ (チェックサムデータは含む)となっている。この場合には、レンズ制御部３６は、第２制御処理４０８として、カメラ側データパケット信号４０６に含まれるチェックサムデータを用いた、上述の如き通信エラーチェック処理を実行する（Ｔ４）。
【００７７】
また、たとえば、カメラ側コマンドパケット信号４０２が、フォーカスレンズ３３の駆動指示であり、カメラ側データパケット信号４０６がフォーカスレンズ３３の駆動速度および駆動量であった場合、レンズ制御部３６は、第１制御処理４０４として、コマンドパケット信号４０２の内容を解析するとともに、その内容を理解したことを表す確認信号を生成する（Ｔ２）。この第１制御処理４０４で生成された確認信号は、レンズ側データパケット信号４０７としてカメラ本体２に出力される（Ｔ３）。またレンズ制御部３６は、第２制御処理４０８として、カメラ側データパケット信号４０６の内容の解析を実行するとともに、カメラ側データパケット信号４０６に含まれるチェックサムデータを用いて通信エラーチェック処理を実行する（Ｔ４）。そして、第２制御処理４０８の完了後、レンズ制御部３６は、受信したカメラ側コマンドパケット信号４０６、すなわち、フォーカスレンズ３３の駆動速度および駆動量に基づいて、フォーカスレンズ駆動モータ３３１を駆動させることで、フォーカスレンズ３３を、受信した駆動速度で、受信した駆動量だけ駆動させる（Ｔ５）。
【００７８】
また、レンズ制御部３６は、第２制御処理４０８が完了すると、レンズ側第１通信部２９１に第２制御処理４０８の完了を通知する。これにより、レンズ制御部３６は、信号線ＲＤＹにＬレベルの信号を出力する（Ｔ５）。
【００７９】
上述した時刻Ｔ１〜Ｔ５の間に行われた通信が、 １回のコマンドデータ通信である。上述のように、１回のコマンドデータ通信では、カメラ制御部２１およびカメラ側第１通信部２９１により、カメラ側コマンドパケット信号４０２およびカメラ側テータパケット信号４０６がそれぞれ１つずつ送信される。このように、本実施形態では、カメラ本体２からレンズ鏡筒３に送信される制御データは、処理の都合上２つに分割されて送信されているが、カメラ側コマンドパケット信号４０２およびカメラ側データパケット信号４０６は２つ合わせて１つの制御データを構成するものである。
【００８０】
同様に、１回のコマンドデータ通信では、レンズ制御部３６およびレンズ側第１通信部３８１によりレンズ側コマンドパケット信号４０３およびレンズ側データパケット信号４０７がそれぞれ１つずつ送信される。このように、レンズ鏡筒３からカメラ本体２に送信される応答データも２つに分割されているが、レンズ側コマンドパケット信号４０３とレンズ側データパケット信号４０７とも２つ合わせて１つの応答データを構成する。
【００８１】
次に、カメラ側第２通信部２９２とレンズ側第２通信部３８２との通信（以下、ホットライン通信という）について説明する。レンズ制御部３６は、電気接点ＢＰ７およびＬＰ７から構成される信号線ＨＲＥＱ、電気接点ＢＰ８およびＬＰ８から構成される信号線ＨＡＮＳ、電気接点ＢＰ９およびＬＰ９から構成される信号線ＨＣＬＫ、電気接点ＢＰ１０およびＬＰ１０から構成される信号線ＨＤＡＴを介して、コマンドデータ通信よりも短い周期（たとえば１ミリ秒間隔）で通信を行うホットライン通信を行う。
【００８２】
たとえば、本実施形態では、ホットライン通信により、レンズ鏡筒３のレンズ情報が、レンズ鏡筒３からカメラ本体２に送信される。なお、ホットライン通信により送信されるレンズ情報には、フォーカスレンズ３３のレンズ位置、ズームレンズ３２のレンズ位置、現在位置像面移動係数Ｋcur、最小像面移動係数Ｋmin、最大像面移動係数Ｋmax、および静音下限レンズ移動速度Ｖ０ｂが含まれる。ここで、現在位置像面移動係数Ｋcurとは、現在のズームレンズの位置（焦点距離）及び現在のフォーカスレンズの位置（撮影距離）に対応した像面移動係数Ｋである。本実施形態において、レンズ制御部３６は、レンズメモリ３７に記憶された、レンズ位置（ズームレンズ位置及びフォーカスレンズ位置）と像面移動係数Ｋとの関係を示すテーブルを参照することで、ズームレンズ３２の現在のレンズ位置およびフォーカスレンズ３３の現在のレンズ位置に対応する現在位置像面移動係数Ｋcurを求めることができる。たとえば、図３に示す例において、ズームレンズ３２のレンズ位置（焦点距離）が「ｆ１」にあり、フォーカスレンズ３３のレンズ位置（撮影距離）が「Ｄ４」にある場合、レンズ制御部３６は、ホットライン通信により、現在位置像面移動係数Ｋcurとして「Ｋ１４」を、最小像面移動係数Ｋminとして「Ｋ１１」を、最大像面移動係数Ｋmaxとして「Ｋ１９」をカメラ制御部２１に送信する。
【００８３】
ここで、図６は、ホットライン通信の一例を示すタイミングチャートである。図６（ａ）は、ホットライン通信が所定周期Ｔｎ毎に繰り返し実行されている様子を示す図である。また、繰り返し実行されるホットライン通信のうち、ある１回の通信の期間Ｔｘを拡大した様子を図６（ｂ）に示す。以下、図６（ｂ）のタイミングチャートに基づいて、フォーカスレンズ３３のレンズ位置をホットライン通信で通信する場面を説明する。
【００８４】
カメラ制御部２１およびカメラ側第２通信部２９２は、まず、ホットライン通信による通信を開始するために、信号線ＨＲＥＱにＬレベルの信号を出力する（Ｔ６）。そして、レンズ側第２通信部３８２は、この信号が電気接点ＬＰ７に入力されたことを、レンズ制御部３６に通知する。レンズ制御部３６は、この通知に応じて、レンズ位置データを生成する生成処理５０１の実行を開始する。生成処理５０１とは、レンズ制御部３６がフォーカスレンズ用エンコーダ３３２にフォーカスレンズ３３の位置を検出させ、検出結果を表すレンズ位置データを生成する処理である。
【００８５】
レンズ制御部３６が生成処理５０１を実行完了すると、レンズ制御部３６およびレンズ側第２通信部３８２は信号線ＨＡＮＳにＬレベルの信号を出力する（Ｔ７）。そして、カメラ制御部２１およびカメラ側第２通信部２９２は、この信号が電気接点ＢＰ８に入力されると、電気接点ＢＰ９から信号線ＨＣＬＫに、クロック信号５０２を出力する。
【００８６】
レンズ制御部３６およびレンズ側第２通信部３８２は、このクロック信号５０２に同期して、電気接点ＬＰ１０から信号線ＨＤＡＴに、レンズ位置データを表すレンズ位置データ信号５０３を出力する。そして、レンズ位置データ信号５０３の送信が完了すると、レンズ制御部３６およびレンズ側第２通信部３８２は電気接点ＬＰ８から信号線ＨＡＮＳにＨレベルの信号を出力する（Ｔ８）。そして、カメラ側第２通信部２９２は、この信号が電気接点ＢＰ８に入力されると、電気接点ＬＰ７から信号線ＨＲＥＱに、Ｈレベルの信号を出力する（Ｔ９）。
【００８７】
なお、コマンドデータ通信とホットライン通信は、同時に、あるいは、並行して実行することが可能である。
【００８８】
次に、図７を参照して、本実施形態に係るクリップ動作を説明する。本実施形態では、コントラストＡＦの探索制御において、フォーカスレンズ３３の像面の移動速度が一定になるように制御が行われる。クリップ動作は、このようなコントラストＡＦの探索制御において、フォーカスレンズ３３の駆動音を抑制するための動作であり、フォーカスレンズ３３の速度が遅くなり静音化の妨げになる場合にフォーカスレンズ３３の速度を静音下限速度未満ならないようにクリップする動作である。
【００８９】
本実施形態では、後述するように、カメラ本体２のカメラ制御部２１が、所定の係数（Ｋｃ）を用いて、静音速度（移動速度が一定）とフォーカスレンズの駆動速度（移動速度が一定）とを比較することによりクリップ動作をすべきか否かを判断する。
【００９０】
そして、カメラ制御部２１によりクリップ動作が許可された場合、レンズ制御部３６は、後述するフォーカスレンズ３３の駆動速度Ｖ１ｂが静音下限レンズ移動速度Ｖ０ｂ未満とならないように、フォーカスレンズ３３の駆動速度を静音下限レンズ移動速度Ｖ０ｂで制限する。以下、図７を参照して詳細に説明する。
【００９１】
ステップＳ１０１では、レンズ制御部３６により、静音下限レンズ移動速度Ｖ０ｂの取得が行われる。静音下限レンズ移動速度Ｖ０ｂはレンズメモリ３７に記憶されており、レンズ制御部３６は、レンズメモリ３７から静音下限レンズ移動速度Ｖ０ｂを取得することができる。
【００９２】
ステップＳ１０２では、レンズ制御部３６により、フォーカスレンズ３３の駆動指示速度の取得が行われる。本実施形態では、コマンドデータ通信により、カメラ制御部２１からレンズ制御部３６に、フォーカスレンズ３３の駆動指示速度が送信されており、これにより、レンズ制御部３６は、カメラ制御部２１からフォーカスレンズ３３の駆動指示速度を取得することができる。
【００９３】
ステップＳ１０３では、レンズ制御部３６により、ステップＳ１０１で取得した静音下限レンズ移動速度Ｖ０ｂと、ステップＳ１０２で取得したフォーカスレンズ３３の駆動指示速度との比較が行われる。具体的には、レンズ制御部３６は、フォーカスレンズ３３の駆動指示速度（単位：パルス／秒）が静音下限レンズ移動速度Ｖ０ｂ（単位：パルス／秒）未満であるか否かを判断し、フォーカスレンズ３３の駆動指示速度が静音下限レンズ移動速度未満である場合には、ステップＳ１０４に進み、一方、フォーカスレンズ３３の駆動指示速度が静音下限レンズ移動速度Ｖ０ｂ以上である場合には、ステップＳ１０５に進む。
【００９４】
ステップＳ１０４では、カメラ本体２から送信されたフォーカスレンズ３３の駆動指示速度が静音下限レンズ移動速度Ｖ０ｂ未満であると判断されている。この場合、レンズ制御部３６は、フォーカスレンズ３３の駆動音を抑制するために、フォーカスレンズ３３を静音下限レンズ移動速度Ｖ０ｂで駆動させる。このように、レンズ制御部３６は、フォーカスレンズ３３の駆動指示速度が静音下限レンズ移動速度Ｖ０ｂ未満である場合に、フォーカスレンズ３３のレンズ駆動速度Ｖ１ｂを静音下限レンズ移動速度Ｖ０ｂで制限する。
【００９５】
一方、ステップＳ１０５では、カメラ本体２から送信されたフォーカスレンズ３３の駆動指示速度が静音下限レンズ移動速度Ｖ０ｂ以上であると判断されている。この場合、所定値以上のフォーカスレンズ３３の駆動音は発生しないため、レンズ制御部３６は、フォーカスレンズ３３を、カメラ本体２から送信されたフォーカスレンズ３３の駆動指示速度で駆動させる。
【００９６】
ここで、図８は、フォーカスレンズ３３のレンズ駆動速度Ｖ１ｂと、静音下限レンズ移動速度Ｖ０ｂとの関係を説明するための図である。上述したように、像面移動係数Ｋは、フォーカスレンズ３３のレンズ位置に応じて変化する。そのため、図８に示すように、焦点検出時において、像面の移動速度が一定の速度となるように、フォーカスレンズ３３を駆動させた場合には、フォーカスレンズ３３のレンズ駆動速度Ｖ１ｂが、フォーカスレンズ３３のレンズ位置に応じて変化する。たとえば図８に示す例では、至近側ほど像面移動係数Ｋが小さく、無限遠側ほど像面移動係数Ｋが大きい。そのため、図８に示す例において、像面の移動速度が一定の速度となるようにフォーカスレンズ３３を駆動させた場合、フォーカスレンズ３３のレンズ移動速度Ｖ１ｂは至近側ほど遅くなり、無限遠側ほど速くなる。
【００９７】
このように、像面の移動速度が一定の速度となるように、フォーカスレンズ３３を駆動させた場合に、クリップ動作が行われないと、図８に示す例のように、フォーカスレンズ３３のレンズ駆動速度Ｖ１ｂが、静音下限レンズ移動速度Ｖ０ｂ未満となる場合がある。例えば、最小像面移動係数Ｋminが得られるフォーカスレンズ３３の位置（図８において最小像面移動係数＝１００）において、レンズ移動速度Ｖ１ｂが静音下限レンズ移動速度Ｖ０ｂ未満になっている。
【００９８】
特に、レンズ鏡筒３の焦点距離が長い場合や光環境が明るい場合に、フォーカスレンズ３３のレンズ移動速度Ｖ１ｂが静音下限レンズ移動速度Ｖ０ｂ未満となりやすい。このような場合、レンズ制御部３６は、クリップ動作を行うことで、図８に示すように、フォーカスレンズ３３の駆動速度Ｖ１ｂを静音下限レンズ移動速度Ｖ０ｂで制限する（静音下限レンズ移動速度Ｖ０ｂよりも低速にならないように制御する）ことができ（ステップＳ１０４）、これにより、フォーカスレンズ３３の駆動音を抑制することができる。
【００９９】
次に、図９を参照して、図７に示すクリップ動作を許可するか、禁止するかを決定するクリップ動作制御処理を説明する。図９は、本実施形態に係るクリップ動作制御処理を示すフローチャートである。なお、以下に説明するクリップ動作制御処理は、たとえばＡＦ−Ｆモードや動画撮影モードが設定された際に、カメラ本体２により実行される。
【０１００】
まず、ステップＳ２０１では、カメラ制御部２１により、レンズ情報の取得が行われる。具体的には、カメラ制御部２１は、ホットライン通信により、現在像面移動係数Ｋcur、最小像面移動係数Ｋmin、最大像面移動係数Ｋmax、および静音下限レンズ移動速度Ｖ０ｂをレンズ鏡筒３から取得する。
【０１０１】
そして、ステップＳ２０２では、カメラ制御部２１により、静音下限像面移動速度Ｖ０ａ＿ｍａｘの算出が行われる。静音下限像面移動速度Ｖ０ａ＿ｍａｘとは、一定の像面の移動速度であり、例えば、像面の移動速度が一定の速度となるようにフォーカスレンズ３３を駆動させた場合に、最小像面移動係数Ｋminが得られるフォーカスレンズ３３の位置において、フォーカスレンズ３３の速度が静音下限レンズ移動速度Ｖ０ｂとなる速度である。以下において、静音下限像面移動速度Ｖ０ａ＿ｍａｘについて詳細に説明する。
【０１０２】
図１０は、焦点検出時の像面の移動速度Ｖ１ａと、静音下限像面移動速度Ｖ０ａ＿ｍａｘとの関係を説明するための図である。図１０に示す焦点検出時の像面の移動速度Ｖ１ａは、フォーカスレンズ３３を、図８に示すレンズ駆動速度Ｖ１ｂで駆動させた場合の像面の移動速度であり、本実施形態では、焦点検出時に像面の移動速度が一定になるようにフォーカスレンズ３３の駆動が制御されるため、図１０に示すように、焦点検出時の像面の移動速度Ｖ１ａは一定の速度となる。
【０１０３】
また、図１０に示す静音下限レンズ移動速度Ｖ０ｂに対応する像面移動速度Ｖ０ａとは、フォーカスレンズ３３を図８に示す静音下限レンズ移動速度Ｖ０ｂで駆動させた場合の像面の移動速度である。ここで、静音下限レンズ移動速度Ｖ０ｂは一定のレンズ移動速度であるため、図１０に示すように、像面移動係数がフォーカスレンズ３３の位置に応じて変化する場合には、静音下限レンズ移動速度Ｖ０ｂに対応する像面移動速度Ｖ０ａも、フォーカスレンズ３３の位置に応じて変化する。
【０１０４】
さらに、図１０に示す静音下限像面移動速度Ｖ０ａ＿ｍａｘは、像面の移動速度のうち、最小像面移動係数Ｋminが得られるフォーカスレンズ３３の位置（図１０に示す例では、像面移動係数Ｋ＝１００）において、フォーカスレンズ３３の移動速度が静音下限レンズ移動速度Ｖ０ｂとなる速度である。すなわち、静音下限像面移動速度Ｖ０ａ＿ｍａｘは、静音下限レンズ移動速度Ｖ０ｂに対応する像面移動速度Ｖ０ａのうち最大の像面の移動速度Ｖ０ａ＿ｍａｘである。
【０１０５】
このように、本実施形態では、フォーカスレンズ３３のレンズ位置に応じて変化する、静音下限レンズ移動速度Ｖ０ｂに対応する像面移動速度のうち、最大の像面移動速度（像面移動係数が最小となるレンズ位置における像面移動速度）を、静音下限像面移動速度Ｖ０ａ＿ｍａｘとして算出する。たとえば、図１０に示す例において、最小像面移動係数Ｋminが「１００」であるため、像面移動係数が「１００」となるフォーカスレンズ３３のレンズ位置における像面移動速度を、静音下限像面移動速度Ｖ０ａ＿ｍａｘとして算出する。
【０１０６】
具体的には、レンズ制御部３６は、下記式（４）に示すように、静音下限レンズ移動速度Ｖ０ｂ（単位：パルス／秒）と最小像面移動係数Ｋmin（単位：パルス／ｍｍ）とに基づいて、静音下限像面移動速度Ｖ０ａ＿ｍａｘ（単位：ｍｍ／秒）を算出する。
静音下限像面移動速度Ｖ０ａ＿ｍａｘ＝静音下限レンズ移動速度Ｖ０ｂ／最小像面移動係数Ｋmin    ・・・（４）
【０１０７】
このように、本実施形態では、最小像面移動係数Ｋminを用いて、静音下限像面移動速度Ｖ０ａ＿ｍａｘを算出することで、ＡＦ−Ｆによる焦点検出や動画撮影を開始したタイミングで、静音下限像面移動速度Ｖ０ａ＿ｍａｘを算出することができる。たとえば、図１０に示す例では、ＡＦ−Ｆによる焦点検出または動画撮影を開始したタイミングｔ１において、像面移動係数Ｋが「１００」となるフォーカスレンズ３３のレンズ位置における像面移動速度を、静音下限像面移動速度Ｖ０ａ＿ｍａｘとして算出することができる。
【０１０８】
次いで、ステップＳ２０３では、カメラ制御部２１により、ステップＳ２０１で取得した焦点検出用の像面移動速度Ｖ１ａと、ステップＳ２０２で算出した静音下限像面移動速度Ｖ０ａ＿ｍａｘとの比較が行われる。具体的には、カメラ制御部２１は、焦点検出用の像面移動速度Ｖ１ａ（単位：ｍｍ／秒）と静音下限像面移動速度Ｖ０ａ＿ｍａｘ（単位：ｍｍ／秒）とが、下記式（５）を満たすか否かを判断する。
（焦点検出用の像面移動速度Ｖ１ａ×Ｋｃ）＞静音下限像面移動速度Ｖ０ａ＿ｍａｘ  ・・・（５）
なお、上記式（５）中、係数Ｋｃは１以上の値（Ｋｃ≧１）であり、その詳細については後述する。
【０１０９】
上記式（５）を満たす場合には、ステップＳ２０４に進み、レンズ制御部３６により、図７に示すクリップ動作が許可される。すなわち、フォーカスレンズ３３の駆動音を抑制するために、図８に示すように、フォーカスレンズ３３の駆動速度Ｖ１ｂが静音下限レンズ移動速度Ｖ０ｂに制限される（フォーカスレンズ３３の駆動速度Ｖ１ｂが静音下限レンズ移動速度Ｖ０ｂよりも低い速度にならないように探索制御が行われる。）。
【０１１０】
一方、上記式（５）を満たさない場合には、ステップＳ２０５に進み、図７に示すクリップ動作が禁止される。すなわち、フォーカスレンズ３３の駆動速度Ｖ１ｂを静音下限レンズ移動速度Ｖ０ｂで制限せずに（フォーカスレンズ３３の駆動速度Ｖ１ｂが静音下限レンズ移動速度Ｖ０ｂよりも低い速度となることを許容し）、合焦位置を適切に検出することができる像面移動速度Ｖ１ａとなるように、フォーカスレンズ３３を駆動させる。
【０１１１】
ここで、仮に上記式（５）を満たさない場合に、クリップ動作を許可して、フォーカスレンズ３３の駆動速度を、静音下限レンズ移動速度Ｖ０ｂで制限してしまうと、像面の移動速度が合焦位置を適切に検出できる焦点検出用の像面移動速度Ｖ１ａよりも速くなり、適切な合焦精度が得られない場合がある。一方、仮に上記式（５）を満たす場合に、クリップ動作を禁止して、像面の移動速度が焦点検出用の像面移動速度Ｖ１ａとなるように、フォーカスレンズ３３を駆動させた場合には、図８に示すように、フォーカスレンズ３３の駆動速度Ｖ１ｂが静音下限レンズ移動速度Ｖ０ｂ未満となり、所定値以上の駆動音が発生してしまう場合がある。
【０１１２】
このように、焦点検出用の像面移動速度Ｖ１ａが静音下限像面移動速度Ｖ０ａ＿ｍａｘ未満となる場合には、合焦位置を適切に検出できる像面移動速度Ｖ１ａが得られるように、フォーカスレンズ３３を静音下限レンズ移動速度Ｖ０ｂ未満のレンズ駆動速度で駆動させるか、フォーカスレンズ３３の駆動音を抑制するために、フォーカスレンズ３３を静音下限レンズ移動速度Ｖ０ｂ以上のレンズ駆動速度で駆動させるかが問題となる。
【０１１３】
そこで、本実施形態では、上記式（５）における係数Ｋｃを、フォーカスレンズ３３を静音下限レンズ移動速度Ｖ０ｂで駆動させた場合でも、上記式（５）を満たす場合には、一定の焦点検出精度を確保できる１以上の値として記憶しておく。これにより、レンズ制御部３６は、図１０に示すように、焦点検出用の像面移動速度Ｖ１ａが静音下限像面移動速度Ｖ０ａ＿ｍａｘ未満となる場合でも、上記式（５）を満たす場合には、一定の焦点検出精度を確保できるものと判断し、フォーカスレンズ３３の駆動音の抑制を優先して、フォーカスレンズ３３を静音下限レンズ移動速度Ｖ０ｂ未満のレンズ駆動速度で駆動させるクリップ動作を許可する。
【０１１４】
一方、仮に、焦点検出用の像面移動速度Ｖ１ａ×Ｋｃ（但し、Ｋｃ≧１）が静音下限像面移動速度Ｖ０ａ＿ｍａｘ以下となる場合に、クリップ動作を許可し、フォーカスレンズ３３の駆動速度を静音下限レンズ移動速度Ｖ０ｂで制限した場合には、焦点検出用の像面移動速度が速くなり過ぎてしまい、焦点検出精度を確保することができない場合がある。そのため、レンズ制御部３６は、上記式（５）を満たさない場合には、焦点検出精度を優先して、図７に示すクリップ動作を禁止する。これにより、焦点検出時に、像面の移動速度を、合焦位置を適切に検出することができる像面移動速度Ｖ１ａとすることができ、焦点検出を高い精度で行うことができる。
【０１１５】
なお、絞り値が大きい（絞り開口が小さい）場合には、被写界深度が深くなるため、合焦位置を適切に検出することができるサンプリング間隔は広くなる。その結果、合焦位置を適切に検出することができる像面移動速度Ｖ１ａを速くすることができる。そのため、合焦位置を適切に検出することができる像面移動速度Ｖ１ａが固定の値である場合には、レンズ制御部３６は、絞り値が大きいほど、上記式（５）の係数Ｋｃを大きくすることができる。
【０１１６】
同様に、ライブビュー画像など画像サイズが小さい場合（画像の圧縮率が高い場合、あるいは画素データの間引き率が高い場合）には、高い焦点検出精度が要求されないため、上記式（５）の係数Ｋｃを大きくすることができる。また、撮像素子２２における画素ピッチが広い場合なども、上記式（５）の係数Ｋｃを大きくすることができる。
【０１１７】
次に、図１１および図１２を参照して、クリップ動作の制御についてより詳細に説明する。図１１は、焦点検出時の像面の移動速度Ｖ１ａと、クリップ動作との関係を示す図であり、図１２は、フォーカスレンズ３３のレンズ駆動速度Ｖ１ｂと、クリップ動作との関係を説明するための図である。
【０１１８】
たとえば、上述したように、本実施形態では、レリーズスイッチの半押しをトリガとして探索制御を開始する場合とレリーズスイッチの半押し以外の条件をトリガとして探索制御を開始する場合、静止画撮影モードと動画撮影モード、スポーツ撮影モードと風景撮影モード、あるいは、焦点距離、撮影距離、絞り値等に応じて、探索制御における像面の移動速度が異なる場合がある。図１１では、このような異なる３つの像面の移動速度Ｖ１ａ＿１，Ｖ１ａ＿２，Ｖ１ａ＿３を例示している。
【０１１９】
具体的には、図１１に示す焦点検出時の像面移動速度Ｖ１ａ＿１は、焦点状態を適切に検出できる像面の移動速度のうち最大の移動速度であり、上記式（５）の関係を満たす像面の移動速度である。また、焦点検出時の像面移動速度Ｖ１ａ＿２は、Ｖ１ａ＿１よりも遅い像面の移動速度であるが、タイミングｔ１において上記式（５）の関係を満たす像面の移動速度である。一方、焦点検出時の像面移動速度Ｖ１ａ＿３は、上記式（５）の関係を満たさない像面の移動速度である。
【０１２０】
このように、図１１に示す例において、焦点検出時の像面の移動速度がＶ１ａ＿１およびＶ１ａ＿２である場合には、タイミングｔ１において上記式（５）の関係を満たすため、図７に示すクリップ動作が許可される。一方、焦点検出時の像面の移動速度がＶ１ａ＿３である場合には、上記式（５）の関係を満たさないため、図７に示すクリップ動作は禁止される。
【０１２１】
この点について、図１２を参照して、具体的に説明する。なお、図１２において、Ｖ１ｂ＿１は、図１１に示す、焦点状態を適切に検出できる最大の像面の移動速度Ｖ１ａ＿１に対応する、フォーカスレンズ３３のレンズ駆動速度である。すなわち、Ｖ１ｂ＿１は、焦点検出時の像面の移動速度がＶ１ａ＿１となるようにフォーカスレンズ３３の駆動を制御した際の、フォーカスレンズ３３の駆動速度である。また、Ｖ１ｂ＿２は、図１１に示すように、上記式（５）の関係を満たす像面移動速度Ｖ１ａ＿２に対応する、フォーカスレンズ３３のレンズ駆動速度であり、Ｖ１ｂ＿３は、図１１に示すように、上記式（５）の関係を満たさない像面移動速度Ｖ１ａ＿３に対応する、フォーカスレンズ３３のレンズ駆動速度である。
【０１２２】
上述したように、フォーカスレンズ３３のレンズ駆動速度Ｖ１ｂ＿１に対応する像面移動速度Ｖ１ａ＿１は、上記式（５）の関係を満たすため、クリップ動作が許可される。しかしながら、図１２に示す例では、最小像面移動係数（Ｋ＝１００）が得られるレンズ位置においても、レンズ駆動速度Ｖ１ｂ＿１は静音下限レンズ移動速度Ｖ０ｂ未満とはならないために、実際には、クリップ動作は行われない。
【０１２３】
また、フォーカスレンズ３３のレンズ駆動速度Ｖ１ｂ＿２に対応する像面移動速度Ｖ１ａ＿２も、タイミングｔ１において上記式（５）の関係を満たすため、クリップ動作が許可される。図１２に示す例では、焦点検出時の像面の移動速度がＶ１ａ＿２となるように、フォーカスレンズ３３をレンズ駆動速度Ｖ１ｂ＿２で駆動させた場合に、像面移動係数ＫがＫ１となるレンズ位置において、レンズ駆動速度Ｖ１ｂ＿１が静音下限レンズ移動速度Ｖ０ｂ未満となるため、Ｋ１よりも像面移動係数Ｋが小さいレンズ位置において、フォーカスレンズ３３の駆動速度Ｖ１ｂ＿２が静音下限レンズ移動速度Ｖ０ｂで制限される。
【０１２４】
すなわち、フォーカスレンズ３３のレンズ駆動速度Ｖ１ｂ＿２が静音下限レンズ移動速度Ｖ０ｂとなるレンズ位置まで、像面の移動速度Ｖ１ａ＿２は一定の速度となるが、フォーカスレンズ３３のレンズ駆動速度Ｖ１ｂ＿２が静音下限レンズ移動速度Ｖ０ｂ未満となる場合に、クリップ動作が行われ、これにより、焦点検出時の像面の移動速度Ｖ１ａ＿２は、それまでの像面の移動速度（探索速度）とは異なる像面の移動速度で、焦点評価値の探索制御を行うこととなる。すなわち、図１１に示すように、像面移動係数がＫ１よりも小さくなるレンズ位置において、焦点検出時の像面の移動速度Ｖ１ａ＿２が今までの一定の速度とは異なる速度となる。
【０１２５】
また、フォーカスレンズ３３のレンズ駆動速度Ｖ１ｂ＿３に対応する像面移動速度Ｖ１ａ＿３は、上記式（５）の関係を満たさないため、クリップ動作が禁止される。そのため、図１２に示す例では、像面の移動速度が一定の像面移動速度Ｖ１ａ＿３となるように、フォーカスレンズ３３をレンズ駆動速度Ｖ１ｂ＿３で駆動させた場合に、像面移動係数ＫがＫ２となるレンズ位置において、レンズ駆動速度Ｖ１ｂ＿３は静音下限レンズ移動速度Ｖ０ｂ未満となるが、Ｋ２よりも小さい像面移動係数Ｋが得られるレンズ位置において、クリップ動作が行われず、焦点状態を適切に検出するために、フォーカスレンズ３３の駆動速度Ｖ１ｂ＿３が静音下限レンズ移動速度Ｖ０ｂ未満とされる。
【０１２６】
以上のように、本実施形態では、静音下限レンズ移動速度Ｖ０ｂでフォーカスレンズ３３を駆動させた場合における像面移動速度のうち、最大の像面移動速度を静音下限像面移動速度Ｖ０ａ＿ｍａｘとして算出し、算出した静音下限像面移動速度Ｖ０ａ＿ｍａｘと焦点検出時の像面の移動速度Ｖ１ａとを比較する。そして、焦点検出時の像面の移動速度Ｖ１ａ×Ｋｃ（但し、Ｋｃ≧１）が静音下限像面移動速度Ｖ０ａ＿ｍａｘよりも速い場合には、フォーカスレンズ３３を静音下限レンズ移動速度Ｖ０ｂで駆動させた場合でも、一定以上の焦点検出精度が得られるものと判断し、図７に示すクリップ動作を許可する。これにより、本実施形態では、焦点検出精度を確保しながら、フォーカスレンズ３３の駆動音を抑制することができる。
【０１２７】
一方、焦点検出時の像面の移動速度Ｖ１ａ×Ｋｃ（但し、Ｋｃ≧１）が静音下限像面移動速度Ｖ０ａ＿ｍａｘ以下となる場合に、フォーカスレンズ３３の駆動速度Ｖ１ｂを静音下限レンズ移動速度Ｖ０ｂで制限した場合には、適切な焦点検出精度が得られない場合がある。そのため、本実施形態では、このような場合には、焦点検出に適した像面移動速度が得られるように、図７に示すクリップ動作を禁止する。これにより、本実施形態では、焦点検出時に合焦位置を適切に検出することができる。
【０１２８】
また、本実施形態では、レンズ鏡筒３のレンズメモリ３７に最小像面移動係数Ｋminを予め記憶しており、この最小像面移動係数Ｋminを用いて、静音下限像面移動速度Ｖ０ａ＿ｍａｘを算出する。そのため、本実施形態では、たとえば、図１０に示すように、動画撮影やＡＦ−Ｆモードによる焦点検出が開始された時刻ｔ１のタイミングで、焦点検出用の像面移動速度Ｖ１ａ×Ｋｃ（但し、Ｋｃ≧１）が静音下限像面移動速度Ｖ０ａ＿ｍａｘを超えるか否かを判断し、クリップ動作を行うか否かを判断することができる。このように、本実施形態では、現在位置像面移動係数Ｋcurを用いて、クリップ動作を行うか否かを繰り返し判断するのではなく、最小像面移動係数Ｋminを用いて、動画撮影やＡＦ−Ｆモードによる焦点検出が開始された最初のタイミングで、クリップ動作を行うか否かを判断することができるため、カメラ本体２の処理負荷を軽減することができる。
【０１２９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１３０】
たとえば、上述した実施形態では、図７に示すクリップ動作制御処理を、カメラ本体２において実行する構成を例示したが、この構成に限定されず、たとえば、図７に示すクリップ動作制御処理を、レンズ鏡筒３において実行する構成としてもよい。
【０１３１】
また、上述した実施形態では、上記式（３）に示すように、像面移動係数Ｋを、像面移動係数Ｋ＝（フォーカスレンズ３３の駆動量／像面の移動量）で算出する構成を例示したが、この構成に限定されず、たとえば、下記式（６）に示すように算出する構成としてもよい。
像面移動係数Ｋ＝（像面の移動量／フォーカスレンズ３３の駆動量）  ・・・（６）
なお、この場合、レンズ制御部３６は、静音下限像面移動速度Ｖ０ａ＿ｍａｘを以下のように算出することができる。すなわち、レンズ制御部３６は、下記式（７）に示すように、静音下限レンズ移動速度Ｖ０ｂ（単位：パルス／秒）と、ズームレンズ３２の各レンズ位置（焦点距離）における像面移動係数Ｋのうち、最大となる値を示す最大像面移動係数Ｋmax（単位：パルス／ｍｍ）とに基づいて、静音下限像面移動速度Ｖ０ａ＿ｍａｘ（単位：ｍｍ／秒）を算出することができる。
静音下限像面移動速度Ｖ０ａ＿ｍａｘ＝静音下限レンズ移動速度Ｖ０ｂ／最大像面移動係数Ｋmax    ・・・（７）
例えば、像面移動係数Ｋとして、「像面の移動量／フォーカスレンズ３３の駆動量」で算出される値を採用した場合には、値（絶対値）が大きくなるほど、フォーカスレンズが所定値（例えば１ｍｍ）駆動した場合の像面の移動量が大きくなる。像面移動係数Ｋとして、「フォーカスレンズ３３の駆動量／像面の移動量」で算出される値を採用した場合には、値（絶対値）が大きくなるほど、フォーカスレンズが所定値（例えば１ｍｍ）駆動した場合の像面の移動量が小さくなる。
また、最大像面移動係数Ｋmaxを送信できるものであれば、レンズメモリ３７に像面移動係数Ｋを記憶するものに限定されない。例えば、ズームレンズ位置等に応じて最大像面移動係数Ｋmaxを演算し、演算した最大像面移動係数Ｋmaxをカメラ本体２に送信するものであってもよい。同様に、ズームレンズ位置等に応じて最小像面移動係数Ｋminを演算し、演算した最小像面移動係数Ｋminをカメラ本体２に送信するものであってもよい。
また、レンズメモリ３７に記憶されている像面移動係数Ｋ及び最大像面移動係数Ｋmaxは、整数であってもよいし、少数点以下を含む値であっても良いし、指数であってもよいし、対数であっても良い。また、像面移動係数Ｋ及び最大像面移動係数Ｋmaxは、１０進数であってもよいし、２進数等でもよい。
さらに、最大像面移動係数Ｋmaxをカメラ本体２に送信するものであれば、カメラ本体２のマウント部４０１の電気接点とレンズ鏡筒３のマウント部４０２の電気接点とが接続されるものに限定されない。例えば、無線通信を用いてレンズ鏡筒３からカメラ本体２に最大像面移動係数Ｋmaxを送信してもよい。
【０１３２】
また、上述した実施形態に加えて、フォーカスレンズ３３の駆動音を抑制する静音モードが設定されている場合に、上述したクリップ動作およびクリップ動作制御処理を実行し、静音モードが設定されていない場合には、上述したクリップ動作およびクリップ動作制御処理を実行しない構成としてもよい。また、静音モードが設定されている場合は、フォーカスレンズ３３の駆動音の抑制を優先し、図９に示すクリップ動作制御処理を行わずに、図７に示すクリップ動作を常に行う構成としてもよい。
また、上述した実施例においては、像面移動係数Ｋ＝（フォーカスレンズ３３の駆動量／像面の移動量）として説明したが、これに限定されるものではない。例えば、像面移動係数Ｋ＝（像面の移動量／フォーカスレンズ３３の駆動量）のように定義した場合、最大像面移動係数Ｋｍａｘを用いて、上述した実施例と同様にクリップ動作等の制御をすることができる。
【０１３３】
さらに、上述した実施形態では、図１に示すように、本発明を、一眼レフデジタルカメラに適用する構成を例示したが、この構成に限定されず、たとえば、図１３に示すように、本発明を、レンズ交換式のミラーレスカメラに適用してもよい。図１３に示す例において、カメラ本体２ａは、逐次、撮像素子２２により撮像した撮像画像をカメラ制御部２１に送出し、液晶駆動回路２５を介して観察光学系の電子ビューファインダ（ＥＶＦ）２６に表示する。この場合、カメラ制御部２１は、たとえば、撮像素子２２の出力を読み出し、読み出した出力に基づき、焦点評価値の演算を行うことで、コントラスト検出方式による撮影光学系の焦点調節状態の検出を行うことができる。また、デジタルビデオカメラ、レンズ一体型のデジタルカメラ、携帯電話用のカメラなどのその他の光学機器に本発明を適用してもよい。
【符号の説明】
【０１３４】
１…デジタルカメラ
２…カメラ本体
２１…カメラ制御部
２２…撮像素子
２９…カメラ送受信部
２９１…カメラ側第１通信部
２９２…カメラ側第２通信部
３…レンズ鏡筒
３２…ズームレンズレンズ
３２１…ズームレンズ駆動モータ
３３…フォーカスレンズ
３３１…フォーカスレンズ駆動モータ
３６…レンズ制御部
３７…レンズメモリ
３８…レンズ送受信部
３８１…レンズ側第１通信部
３８２…レンズ側第２通信部
【図１】
2019091050.tif 000003
【図２】
2019091050.tif 000004
【図３】
2019091050.tif 000005
【図４】
2019091050.tif 000006
【図５】
2019091050.tif 000007
【図６】
2019091050.tif 000008
【図７】
2019091050.tif 000009
【図８】
2019091050.tif 000010
【図９】
2019091050.tif 000011
【図１０】
2019091050.tif 000012
【図１１】
2019091050.tif 000013
【図１２】
2019091050.tif 000014
【図１３】
2019091050.tif 000015
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
焦点調節光学系を含む光学系を駆動する駆動部と、
前記焦点調節光学系の移動量に対する像面の移動量に対応する像面移動係数であって、前記焦点調節光学系の位置に対応して定められた第１像面移動係数と、前記焦点調節光学系の駆動範囲内において、前記焦点調節光学系の移動量に対する像面の移動量が最大になる第２像面移動係数とを送信する送信部と、
前記第１像面移動係数と前記第２像面移動係数とに基づいて撮像装置により決定された前記焦点調節光学系の駆動速度であって、前記焦点調節光学系による像面が一定の速度で移動するための駆動速度を前記撮像装置から受信する受信部と、
を備え
前記駆動部は、前記受信した駆動速度が所定の速度より遅いと、前記受信した駆動速度とは異なる速度で前記焦点調節光学系を駆動する交換レンズ。
【請求項２】
請求項１に記載された交換レンズであって、
前記駆動部は、前記受信した駆動速度が所定の速度より遅いと、前記焦点調節光学系を前記所定の速度で駆動する交換レンズ。
【請求項３】
請求項１または２に記載された交換レンズであって、
前記第１像面移動係数および前記第２像面移動係数は、前記焦点調節光学系の光軸方向の移動量をＴLとし、像面の移動量をＴIとした場合に、ＴLとＴIとの比に対応する係数であり、
前記第２像面移動係数は、ＴI／ＴLが最大になる値である交換レンズ。
【請求項４】
請求項１から３の何れか１項に記載された交換レンズであって、
前記焦点調節光学系を前記所定の速度よりも速い速度で駆動したときには、前記焦点調節光学系を前記所定の速度よりも遅い速度で駆動したときよりも駆動音が小さくなる交換レンズ。